【事件の表示】
　平成　４年特許願第３２９３８７号「光ディスク装置」拒絶査定に対する審判事件〔平成　６年　６月２４日出願公開、特開平　６−１７６３７６、請求項の数（２）〕について、次のとおり審決する。
【結　論】
　原査定を取り消す。
　本願の発明は、特許すべきものとする。
【理　由】
１．手続の経緯・本願発明
　本願は、平成４年１２月９日の出願であって、その請求項１および２に係る発明は、平成１３年９月２１日付手続補正書により補正された明細書及び図面の記載からみて、その特許請求の範囲の請求項１乃至２に記載された次のとおりのものと認める。（以下「本願発明」という。）
【請求項１】　光ディスクに情報信号を記録しその記録情報信号を再生する光ディスク装置であって、前記光ディスクに情報信号を書き込みかつ前記光ディスクの記録信号を読み出すためのピックアップと、前記ピックアップにより、情報信号の記録の際に前記光ディスク上に形成された記録部、及び未記録部の各々から読み取られるレベルを保持するレベル保持手段と、追記記録すべき情報信号の前記光ディスクへの記録の際に前記光ディスク上において前記ピックアップを移動させて前記ピックアップの出力レベルと前記レベル保持手段に保持されるレベルとの比較により、前記ピックアップが前記光ディスク上の記録部及び未記録部のいずれにあるかを判別する判別手段と、前記判別手段の判別結果に応じて前記ピックアップを前記未記録部直前の前記記録部に位置させるべく前記ピックアップを移動駆動する駆動手段と、前記駆動手段による移動駆動の終了後、追記記録を開始する手段と、を備えたことを特徴とする光ディスク装置。
【請求項２】　光ディスクに情報信号を記録しその記録情報信号を再生する光ディスク装置であって、前記光ディスクに情報信号を書き込みかつ前記光ディスクの記録信号を読み出すためのピックアップと、前記ピックアップにより、情報信号の記録の際に前記光ディスク上に形成された記録部、未記録部、及び重ね書き部の各々から読み取られるレベルを保持するレベル保持手段と、ビデオデータを記憶する画像メモリ手段と、再生すべき記録情報信号の前記光ディスクからの再生の際に前記光ディスク上において前記ピックアップを移動させて前記ピックアップの出力レベルと前記レベル保持手段に保持されるレベルとの比較により、前記ピックアップが前記光ディスク上の記録部、未記録部、及び重ね書き部のいずれにあるかを判別する判別手段と、前記判別手段の判別結果により、前記ピックアップが前記光ディスク上の記録部にある場合は、前記光ディスクの記録情報信号を出力する側へ、前記ピックアップが前記光ディスク上の未記録部、及び重ね書き部にある場合は、前記画像メモリ手段に記憶されたビデオデータを出力する側へ切り換わる切換手段と、を備えたことを特徴とする光ディスク装置。
　
２．原査定の拒絶理由の概要
　これに対して、原査定の拒絶の理由の概要は、本願発明は、下記の刊行物に記載された発明に基づいて当業者が容易に発明をすることができたものと認められるので特許法第２９条第２項に規定により特許を受けることができない、というものである。
　
３．引用刊行物に記載された発明
　原査定の拒絶の理由に引用された刊行物およびその刊行物に記載された発明の概要は、次のとおりである。
（ア）特開昭５７−１４７１４１号公報（以下「引用刊行物１」という。）
　重ね書き及びデッドスペースの発生を防止することを目的として、
「案内トラック（９）の既記録部分（９ａ）（第１図）に引き続いて新たな信号を記録する場合には、先ず既記録部分（９ａ）の終端を検出する。このため光学式記録再生装置を前述の再生状態にし、本実施例のように記録を外周側から内周側へと行う場合には、最終記録位置の近傍でやや外周寄りに光束の照射位置をセットし、順次再生を行う。」（第３頁右上欄第１８行〜左下欄第４行），
「この確認期間中に記録信号がないことが確認されれば、論理回路（４０）はジャンピング指令（ｃ）（第４図（ｃ）に示す）を出力し、ジャンピング指令回路（４１）を加振する。」（第３頁左下欄第２０行〜右下欄第３行），
「案内トラック（９）に再度引込まれて、案内トラック（９）の既記録部分（９ａ）を再度トラッキング走査する、したがって再びプリアンプ（３８）に再生信号が現れる。この状態が進行すると、再び光束（２１）は記録の最終点（既記録部分（９ａ）の終端）に到達する。記録の最終点を通過すると、プリアンプ（３８）の出力が無くなり記録信号有無検出回路（３９）が再度高レベルとなる。」（第４頁左上欄第１行〜第８行），
「したがって、半導体レーザ（２０）は記録に適した光量で、記録する信号の変調信号により強度変調され、光学式記録再生装置は記録モードとなり、直ちに記録が行われる。したがって、前の記録完了位置から引き続いて次の記録が行われ、従来のような記録と記録との間の未記録部分（デッドスペース）が無い記録状態を得ることができる。」（第４頁左上欄第１６行〜右上欄第２行）という構成を有する発明が記載されている。
（イ）特開昭６０−１６７１２６号公報（以下「引用刊行物２」という。）
　継ぎ目部分を再生しても雑音や映像の乱れを生じない記録再生装置を提供することを目的として、「再生時に記録済み部分の終端を未記録トラック検出回路で検出した後、直ちにトラックジャンプ制御回路が記録済み部分の最終トラックを連続して再生するように動作し、しかる後にディスク上に設けられたマーカに同期して追加記録を開始する」（第３頁左上欄第１３行〜第１８行）という構成を有する発明が記載されている。
（ウ）特開昭６３−１１９０２０号公報（以下「引用刊行物３」という。）
　記録部と未記録部との境界を容易、迅速に検知し得る様にすることを目的として、
「再生出力Ｂとスレッショルド電圧ＶＴＨとが比較され、光ディスク１０における記録部Ｍと未記録部Ｎとの反射光量の差出力が比較せしめられ、異なる再生信号として出力される。この出力信号はＣＰＵ２３に入力せしめられ、該出力信号に基づき、不図示の……が制御される。すなわち、ＣＰＵ２３にて、記録部Ｍと未記録部Ｎとの異なる出力信号が検出されると、光ヘッド送り機構が直ちに停止せしめられると同時に、フォーカス用アクチュエータがデフォーカス状態からジャストフォーカス状態に作動せしめられ、……。次いでＣＰＵ２３から光ヘッド１２に対して、光ヘッド送り機構に停止命令が発せられた時点から実際に光ヘッド送り機構が停止するまでに通り過ぎたトラック数のトラックジャンプ命令が発せられる。以後、光ヘッド１２は光ディスク１０のトラックに沿って走査せしめられ記録部Ｍと未記録部Ｎとの境界にアクセスせしめられる。かくして、光ディスク１０における未記録部Ｎの最先端部に光ヘッド１２がアクセスせしめられ、以後、通常の作動により所定の情報がピット列として形成される。」（第３頁左上欄第９行目〜右上欄第１３行目）という構成を有する発明が記載されている。
（エ）特開平１−２５１３２２号公報（以下「引用刊行物４」という。）
　記録の終了点を検出し、そこから新たなデータを書き込むために、トラックを横断して読取り信号のエンベローブを検出して記録の有無を検出し、境界近くからトラックに追従させて終了点を検出する発明が記載されている。
　また、査定時に周知例として示した
特開昭５４−１５５００７号公報以下「引用刊行物５」という。）、および特開昭６２−２１９３７３号公報（以下「引用刊行物６」という。）には、情報を追加記録する際に空白部分を生じないようにするために同期信号を用いる発明が記載されている。
　
４．判断
　引用刊行物１〜５に記載された発明は、いずれも、光ディスク装置において情報を追加記録する際に空白部分を生じないようにする点では、本願発明と一致するものの、判別手段の構成に関して、本願発明の構成に欠くことのできない事項である、「ピックアップにより、情報信号の記録の際に前記光ディスク上に形成された記録部、及び未記録部の各々から読み取られるレベルを保持するレベル保持手段と、追記記録すべき情報信号の前記光ディスクへの記録の際に前記光ディスク上において前記ピックアップを移動させて前記ピックアップの出力レベルと前記レベル保持手段に保持されるレベルとの比較により、前記ピックアップが前記光ディスク上の記録部及び未記録部のいずれにあるかを判別する判別手段」という構成が記載も示唆もされていない。
　そして、本願発明は、この構成を有することにより、光ディスクの種類に対応した判別を可能にするという、特有の効果を奏するものと認められる。
　したがって、本願発明は、引用刊行物１乃至５に記載された発明に基づいて当業者が容易に発明をすることができたものとすることはできない。
　なお、前置報告書において、特開平４−２１４２０８号公報を示して、「個別の媒体に対して装置を最適に調整すべく試し書きを行う技術思想は、本願発明出願前に知られている。」と述べられているが、この文献は、主として書き込みパワーの最適値を求めるために異なるパワーで書き込みを行い、書き込み手段の最適調整を決定する技術に関するものであり、本願発明のように、記録部と未記録部の反射光量を記憶することを示唆するものではない。
　また、前置報告書において、請求項１と２に係る発明は特許法第３７条に規定する要件を満たしていない旨の記載があるのでこの点について検討する。
　請求項１および２に係る発明は、いずれも、光ディスク装置において情報を追加記録する際に空白部分を生じないようにする点で同一の目的を有するものであり、産業上の利用分野及び解決しようとする課題が同一であると言うべきである。さらに、その解決手段の主要部である、「ピックアップにより、情報信号の記録の際に前記光ディスク上に形成された記録部、及び未記録部の各々から読み取られるレベルを保持するレベル保持手段と、追記記録すべき情報信号の前記光ディスクへの記録の際に前記光ディスク上において前記ピックアップを移動させて前記ピックアップの出力レベルと前記レベル保持手段に保持されるレベルとの比較により、前記ピックアップが前記光ディスク上の記録部及び未記録部のいずれにあるかを判別する判別手段」という構成を有する点で主要部が同一であると言うべきである。したがって、特許法第３７条に規定する要件を満たしている。
　
５．むすび
　以上のとおりであるから、本願請求項１乃至２に係る発明は、原査定の理由及び証拠によっては拒絶をすることができない。
　また他に本願を拒絶するべき理由を発見しない。
　よって、結論のとおり審決する。